(57)【要約】【課題】低コストで簡易に携帯電話機へ広告情報を配信可能な広告配信システムを提供する。【解決手段】決済センタ１３は、広告主サイト１４から広告情報や割引金額を受信し（Ｓｅｑ１）、各店舗の決済端末１２へ決済情報と同様の方法で送信する（Ｓｅｑ２）。店舗の決済端末１２は、携帯電話機１１による決済時に、該広告情報を携帯電話機１１へ配信し、かつ、該割引金額を適用して代金を決済する（Ｓｅｑ３）。店舗の業務終了時に日計処理し、当日の取引情報、割引適用金額を決済センタ１３へ送信し（Ｓｅｑ４）、決済センタ１３は、所定の周期毎に該当期間における割引適用金額の集計結果を広告主サイト１４へ通知すると（Ｓｅｑ５）、広告料（＝基本料金＋割引適用金額）が算出され、決済センタ１３に送金される（Ｓｅｑ６）。決済センタ１３は広告料のうち割引適用金額を店舗毎に分割し、各店舗の決済端末１２に割引金額補填用として送金する（Ｓｅｑ７）。【選択図】        図３
2010146305.tif 000002
【特許請求の範囲】
【請求項１】
決済機能を備えた携帯電話機と、店舗内に設置した決済端末と、各店舗の決済情報を管理する決済センタと、広告情報を作成する広告主が運用する広告主サイトと、を少なくとも備え、店舗において前記携帯電話機による決済を実施する際に、前記広告主が作成した前記広告情報を当該携帯電話機に配信する広告配信システムであって、前記決済センタは、前記広告主が作成した広告情報を前記広告主センタから受け取って登録するとともに、各店舗の前記決済端末に対して、登録した前記広告情報を送信することによって、前記決済端末に前記広告情報を保存し、当該決済端末が前記携帯電話機による決済を行う際に、保存しておいた前記広告情報を当該携帯電話機に配信することを特徴とする広告配信システム。
【請求項２】
店舗内の前記決済端末は、業務の開始時に代表されるあらかじめ定めた時点で、当該店舗に関する前記決済情報および前記広告情報の送信要求を、前記決済センタに対して行うことにより、前記決済センタからの前記決済情報および前記広告情報を受け取って保存することを特徴とする請求項１に記載の広告配信システム。
【請求項３】
店舗内の前記決済端末は、保存している前記広告情報の有効期限切れの有無をチェックし、有効期限切れを検知した際に、当該店舗に関する前記広告情報の送信要求を、前記決済センタに対して行うことにより、前記決済センタから最新の前記広告情報を受け取って保存することを特徴とする請求項１または２に記載の広告配信システム。
【請求項４】
店舗内の前記決済端末が前記決済センタから前記広告情報を受け取る手順が、前記決済情報をやり取りする手順と同様の手順であることを特徴とする請求項１ないし３のいずれかに記載の広告配信システム。
【請求項５】
前記広告主サイトが、前記決済センタへ前記広告情報を送信する際に、当該広告情報を前記携帯電話機へ配信した場合に商品購入代金を割引く割引金額を取り決めた割引情報も含めて、広告関連データとして前記決済センタへ送信し、かつ、前記決済センタは、各店舗の前記決済端末に前記広告情報を送信する際に、前記割引情報も含む前記広告関連データとして送信することにより、前記決済端末が前記携帯電話機による決済時に、当該携帯電話機に対して前記広告関連データに含まれている前記広告情報を配信した場合、商品購入代金の決済時に前記広告関連データに含まれている前記割引情報に基づいて、商品購入代金の割引処理を行うことを特徴とする請求項１ないし４のいずれかに記載の広告配信システム。
【請求項６】
店舗内の前記決済端末は、店舗の業務終了時に、日計処理を実施し、当日の取引情報とともに、前記携帯電話機へ配信した前記広告情報の配信件数および前記割引情報に基づいて商品購入代金を割り引いた割引適用金額を少なくとも含む広告配信情報を、前記決済センタに送信することを特徴とする請求項５に記載の広告配信システム。
【請求項７】
前記決済端末から前記取引情報および前記広告配信情報を受け取った前記決済センタは、当日の店舗毎の決済情報として保存するとともに、前記広告主サイトへの通知周期としてあらかじめ定めた周期に達する都度、該当期間における前記広告情報の配信件数および前記割引適用金額の集計結果を前記広告主サイトへ通知することを特徴とする請求項６に記載の広告配信システム。
【請求項８】
前記広告情報の配信件数および前記割引適用金額の集計結果を前記決済センタから受け取った前記広告主サイトは、受け取った前記割引適用金額を広告用の基本料金に加算した合計金額を、広告料として、前記決済センタに送金処理を行うことを特徴とする請求項７に記載の広告配信システム。
【請求項９】
前記広告料を前記広告主サイトから受け取った前記決済センタは、前記広告料に含まれている前記割引適用金額を店舗毎に分割し、それぞれの店舗内の前記決済端末へ、前記広告情報の配信に伴う割引金額の補填用として送金処理を行うことを特徴とする請求項８に記載の広告配信システム。
【請求項１０】
前記決済センタは、前記割引情報として前記広告主サイトから割引券や商品引換券あるいは電子マネーを前記広告情報配信に伴う割引用の情報として前記広告情報とともに受け取って、前記決済端末に対して送信することにより、前記決済端末が前記携帯電話機による決済を行う際に、前記広告情報とともに割引券や商品引換券あるいは電子マネーを前記広告情報配信に伴う割引用の情報として当該携帯電話機に配信することを特徴とする請求項５ないし９のいずれかに記載の広告配信システム。
【請求項１１】
前記決済センタは、前記広告主サイトから前記広告情報の作成日時、有効期限を付加情報として前記広告情報とともに受け取って、前記決済端末に対して送信することにより、前記決済端末が前記携帯電話機による決済を行う際に、前記広告情報とともに当該広告情報の作成日時、有効期限を付加情報として当該携帯電話機に配信することを特徴とする請求項１ないし１０のいずれかに記載の広告配信システム。
【請求項１２】
前記決済センタは、外部の装置から災害情報、交通機関の運行状況、あるいは、音楽やゲームのサンプル版のいずれかに関するサービス情報を受け取って、前記決済端末に対して送信することにより、前記決済端末が前記携帯電話機による決済を行う際に、前記サービス情報を当該携帯電話機に配信することを特徴とする請求項１ないし１１のいずれかに記載の広告配信システム。
【請求項１３】
決済機能を備えた携帯電話機と、店舗内に設置した決済端末と、各店舗の決済情報を管理する決済センタと、広告情報を作成する広告主が運用する広告主サイトと、を少なくとも備え、店舗において前記携帯電話機による決済を実施する際に、前記広告主が作成した前記広告情報を当該携帯電話機に配信する広告配信方法であって、前記決済センタは、前記広告主が作成した広告情報を前記広告主センタから受け取って登録するとともに、各店舗の前記決済端末に対して、登録した前記広告情報を送信することによって、前記決済端末に前記広告情報を保存し、当該決済端末が前記携帯電話機による決済を行う際に、保存しておいた前記広告情報を当該携帯電話機に配信することを特徴とする広告配信方法。
【請求項１４】
店舗内の前記決済端末は、業務の開始時に代表されるあらかじめ定めた時点で、当該店舗に関する前記決済情報および前記広告情報の送信要求を、前記決済センタに対して行うことにより、前記決済センタからの前記決済情報および前記広告情報を受け取って保存することを特徴とする請求項１３に記載の広告配信方法。
【請求項１５】
店舗内の前記決済端末は、保存している前記広告情報の有効期限切れの有無をチェックし、有効期限切れを検知した際に、当該店舗に関する前記広告情報の送信要求を、前記決済センタに対して行うことにより、前記決済センタから最新の前記広告情報を受け取って保存することを特徴とする請求項１３または１４に記載の広告配信方法。
【請求項１６】
店舗内の前記決済端末が前記決済センタから前記広告情報を受け取る手順が、前記決済情報をやり取りする手順と同様の手順であることを特徴とする請求項１３ないし１５のいずれかに記載の広告配信方法。
【請求項１７】
前記広告主サイトが、前記決済センタへ前記広告情報を送信する際に、当該広告情報を前記携帯電話機へ配信した場合に商品購入代金を割引く割引金額を取り決めた割引情報も含めて、広告関連データとして送信し、かつ、前記決済センタは、各店舗の前記決済端末に前記広告情報を送信する際に、前記割引情報も含む前記広告関連データとして送信することにより、前記決済端末が前記携帯電話機による決済時に、当該携帯電話機に対して前記広告関連データに含まれている前記広告情報を配信した場合、商品購入代金の決済時に前記広告関連データに含まれている前記割引情報に基づいて、商品購入代金の割引処理を行うことを特徴とする請求項１３ないし１６のいずれかに記載の広告配信方法。
【請求項１８】
店舗内の前記決済端末は、店舗の業務終了時に、日計処理を実施し、当日の取引情報とともに、前記携帯電話機へ配信した前記広告情報の配信件数および前記割引情報に基づいて商品購入代金を割り引いた割引適用金額を少なくとも含む広告配信情報を、前記決済センタに送信することを特徴とする請求項１７に記載の広告配信方法。
【請求項１９】
前記決済端末から前記取引情報および前記広告配信情報を受け取った前記決済センタは、当日の店舗毎の決済情報として保存するとともに、前記広告主サイトへの通知周期としてあらかじめ定めた周期に達する都度、該当期間における前記広告情報の配信件数および前記割引適用金額の集計結果を前記広告主サイトへ通知することを特徴とする請求項１８に記載の広告配信方法。
【請求項２０】
前記広告情報の配信件数および前記割引適用金額の集計結果を前記決済センタから受け取った前記広告主サイトは、受け取った前記割引適用金額を広告用の基本料金に加算した合計金額を、広告料として、前記決済センタに送金処理を行うことを特徴とする請求項１９に記載の広告配信方法。
【請求項２１】
前記広告料を前記広告主サイトから受け取った前記決済センタは、前記広告料に含まれている前記割引適用金額を店舗毎に分割し、それぞれの店舗内の前記決済端末へ、前記広告情報の配信に伴う割引金額の補填用として送金処理を行うことを特徴とする請求項２０に記載の広告配信方法。
【請求項２２】
前記決済センタは、前記割引情報として前記広告主サイトから割引券や商品引換券あるいは電子マネーを前記広告情報配信に伴う割引用の情報として前記広告情報とともに受け取って、前記決済端末に対して送信することにより、前記決済端末が前記携帯電話機による決済を行う際に、前記広告情報とともに割引券や商品引換券あるいは電子マネーを前記広告情報配信に伴う割引用の情報として当該携帯電話機に配信することを特徴とする請求項１７ないし２１のいずれかに記載の広告配信方法。
【請求項２３】
前記決済センタは、前記広告主サイトから前記広告情報の作成日時、有効期限を付加情報として前記広告情報とともに受け取って、前記決済端末に対して送信することにより、前記決済端末が前記携帯電話機による決済を行う際に、前記広告情報とともに当該広告情報の作成日時、有効期限を付加情報として当該携帯電話機に配信することを特徴とする請求項１３ないし２２のいずれかに記載の広告配信方法。
【請求項２４】
請求項１３ないし２３のいずれかに記載の広告配信方法を、コンピュータにより実行可能なプログラムとして実施していることを特徴とする広告配信プログラム。
【請求項２５】
請求項２４に記載の広告配信プログラムを、コンピュータにより読み取り可能な記録媒体に記録していることを特徴とするプログラム記録媒体。
【発明の詳細な説明】
【技術分野】
【０００１】
本発明は、広告配信システム、広告配信方法、広告配信プログラムおよびプログラム記録媒体に関し、特に、携帯電話機との通信(非接触ＩＣカード通信、赤外線、ブルートゥース等)が可能な決済端末を用いて、広告情報や、割引券、商品引換券、音楽・ゲームサンプル等の携帯電話機への配信や携帯電話機側の特定の情報の収集に、好適に利用することが可能な広告配信システム、広告配信方法、広告配信プログラムおよびプログラム記録媒体に関する。
【背景技術】
【０００２】
現状では、携帯電話機に対して広告情報を配信する場合、例えば、特許文献１の特開２００４−８０５５４号公報「携帯電話機およびそれに用いる広告配信方法並びにそのプログラム」や特許文献２の特開２００２−１７００２７号公報「広告配信事業およびシステム」に記載されているように、メール機能を使用して携帯電話機側へ広告情報を配信しているため、広告配信側は、配信先のメールアドレスをあらかじめ保持している必要があり、また、広告受信時に、携帯電話機の利用者側に通信費が掛かってしまうという問題がある。
【特許文献１】特開２００４−８０５５４号公報（第５−７頁）
【特許文献２】特開２００２−１７００２７号公報（第３−４頁）
【発明の開示】
【発明が解決しようとする課題】
【０００３】
携帯電話機に広告情報を配信する従来の技術においては、前述のように、広告配信側は、配信先の携帯電話機のメールアドレスをあらかじめ取得して保持することが必要であったり、また、携帯電話機の利用者側は広告を受け取るだけで通信費が掛かってしまうという問題があった。
【０００４】
さらには、各店舗ごとに、店舗内に広告配信用のサーバを新たに設置したりすることが必要となり、建設コストが掛かるのみならず、各店舗の識別情報を広告配信用として新たに設定したりするなど、従来の店舗内の運用環境とは異なる環境条件を構築することが必要になり、各店舗において広告配信の運用を開始するまでに多大な労力と時間が掛かってしまうという問題も発生している。
【０００５】
本発明は、かかる事情に鑑みてなされたものであり、店舗における従来の携帯電話機による決済処理機能を利用することにより、低コストで簡易に、携帯電話機側へ広告情報を配信することを可能とする広告配信システム、広告配信方法、広告配信プログラムおよびプログラム記録媒体を提供することを、その目的としている。
【課題を解決するための手段】
【０００６】
前述の課題を解決するため、本発明による広告配信システムは、次のような特徴的な構成を採用している。
【０００７】
（１）決済機能を備えた携帯電話機と、店舗内に設置した決済端末と、各店舗の決済情報を管理する決済センタと、広告情報を作成する広告主が運用する広告主サイトと、を少なくとも備え、店舗において前記携帯電話機による決済を実施する際に、前記広告主が作成した前記広告情報を当該携帯電話機に配信する広告配信システムであって、前記決済センタは、前記広告主が作成した広告情報を前記広告主センタから受け取って登録するとともに、各店舗の前記決済端末に対して、登録した前記広告情報を送信することによって、前記決済端末に前記広告情報を保存し、当該決済端末が前記携帯電話機による決済を行う際に、保存しておいた前記広告情報を当該携帯電話機に配信する広告配信システム。
【発明の効果】
【０００８】
本発明の広告配信システム、広告配信方法、広告配信プログラムおよびプログラム記録媒体によれば、以下のような効果を得ることができる。
【０００９】
携帯電話機による決済時に、決済端末から当該携帯電話機に対して広告情報を配信する構成としているので、従来の広告配信システムの場合とは異なり、広告主側つまり広告主サイト側は、広告情報の配信相手となる携帯電話機のメールアドレスを取得することが不要となるとともに、それぞれの携帯電話機への広告情報の配信処理を省くことができる。
【００１０】
また、各店舗に設置される決済端末は、業務開始時等に、従来の決済情報(店舗マスタやアクセスキー、ネガ情報等)と同等な方法によって、決済センタから広告情報をあらかじめダウンロードしておいて、携帯電話機による決済時に、当該携帯電話機側に広告情報を配信すれば良く、携帯電話機の利用者側に広告配信に伴う通信コストが掛かることもないし、また、決済端末は、広告配信に関する広告料のやり取りについても、広告主の運営サイトではなく、従来の決済情報のやり取りと同等の方法で決済センタと行うだけで良い。したがって、店舗内に広告配信サーバ等の設置は不要であり、かつ、店舗情報は、従来通り、決済センタのみに登録すれば良い。
【００１１】
つまり、各店舗は、従来通り、決済端末のみを設置して、携帯電話機および決済センタとの通信手段を構築するとともに、該決済センタへ店舗情報を登録するだけで、決済情報と同等のやり取りを利用することにより、コストを掛けることなく、直ちに、携帯電話機への広告配信動作を実施することができる。
【００１２】
また、携帯電話機による決済時においては、広告主が、広告料の一部として、商品代金の割引金額を支払う仕組みを提供することにより、携帯電話機の利用者にとっては、通常よりも安く商品を購入することができ、かつ、広告情報の配信を受入れ易くする環境を提供することができる一方、店舗側にとっては、集客の促進を図ることができる。さらには、決済センタ側にとっても、広告料の収入が得られるとともに、携帯電話機による決済の促進を期待することができる。
【００１３】
さらには、携帯電話機による決済時において、携帯電話機に対して、広告情報を配信するのみならず、同様の仕組みを利用して、広告情報の作成日時や有効期限等の付加情報を配信したり、割引券や商品引換券、電子マネー、災害情報、交通機関の運行状況、音楽やゲームのサンプル版等の各種の情報を配信したりすることも可能であり、また、携帯電話機のアプリケーション起動情報を配信するようにしても良く、携帯電話機に対して多彩なサービス情報を提供することができる。
【発明を実施するための最良の形態】
【００１４】
以下、本発明による広告配信システム、広告配信方法、広告配信プログラムおよびプログラム記録媒体の好適な実施例について添付図を参照して説明する。なお、以下の説明においては、本発明による広告配信システム、広告配信方法について説明するが、かかる広告配信方法をコンピュータにより実行可能な広告配信プログラムとして実施するようにしても良いし、あるいは、広告配信プログラムをコンピュータにより読み取り可能な記録媒体に記録するようにしても良いことは言うまでもない。
【００１５】
（本発明の特徴）
本発明の実施例の説明に先立って、本発明の特徴についてその概要をまず説明する。本発明は、携帯電話機による決済実施時に、決済端末を通じて広告情報を当該携帯電話機へ配信することにより、携帯電話機側へ通信費を掛けることなく、携帯電話機へ広告を配信することができ、広告配信率の向上を図ることができる。
【００１６】
さらには、携帯電話機の利用者は、広告配信を受ける際に、商品代金の割引を受けることを可能としているので、広告配信率の向上のみならず、携帯電話機による決済の利用促進を図ることもできる。
【００１７】
（本発明の実施例の構成）
図１は、本発明による広告配信システムを構成する一構成要素である携帯電話機の回路構成の一例を示すブロック図である。図１に示す携帯電話機１１は、ＣＰＵ１１ａ、決済モジュール１１ｂ、表示部１１ｃ、キー入力部１１ｄ、記憶部１１ｅおよび通信部１１ｆを少なくとも備えて構成されている。
【００１８】
ＣＰＵ１１ａは、中央処理装置であり、携帯電話機１１内の各回路部と接続され、携帯電話機１１の全体の動作を制御している。また、決済モジュール１１ｂは、決済情報を保持し、通信部１１ｆを介して、外部つまり店舗内に存在する決済端末とのやり取りを行う。また、キー入力部１１ｄは、利用者からのキー入力を受け付ける入力回路であり、表示部１１ｃは、白黒あるいはカラーの液晶パネルあるいは有機ＥＬ(電子蛍光)等の表示装置および画面表示を制御する回路であって、例えば決済端末から決済モジュール１１ｂが取得した決済情報や広告情報を画面表示し、利用者へ提供する。
【００１９】
また、記憶部１１ｅは、当該携帯電話機１１の動作を規定する各種のプログラムやデータを記憶する装置であり、決済端末から取得した決済情報や広告情報についても保存することが可能である。また、決済端末から取得した広告情報にＵＲＬ（Unique Resource Locator）等の接続先情報が含まれる場合、キー入力部１１ｄのキー操作により、通信部１１ｆを介して、当該ＵＲＬの該当Ｗｅｂページと接続して表示部１１ｃに表示することも可能である。
【００２０】
図２は、本発明による広告配信システムを構成する他の構成要素である決済端末の回路構成の一例を示すブロック図である。図２に示す決済端末１２は、ＣＰＵ１２ａ、リーダ・ライタ部１２ｂ、表示部１２ｃ、キー入力部１２ｄ、プリンタ部１２ｅ、記憶部１２ｆおよび通信部１２ｇを少なくとも備えて構成されている。
【００２１】
ＣＰＵ１２ａは、中央処理装置であり、決済端末１２内の各回路部と接続され、決済端末１２の全体の動作を制御している。また、リーダ・ライタ部１２ｂは、図１に示す携帯電話機１１との間で、非接触ＩＣカード通信や赤外線信号やブルートゥース信号を用いて、決済時において磁気カード、接触ＩＣカード、非接触ＩＣカード等の読み書きを行ったり、広告情報の配信を行ったりする。プリンタ部１２ｅは、決済時における伝票等を印字する。リーダ・ライタ部１２ｂやプリンタ部１２ｅ等は外部接続形式としても良い。
【００２２】
また、キー入力部１２ｄは、当該決済端末１２の利用者の操作時のキー入力を受け付ける入力回路であり、表示部１２ｃは、白黒あるいはカラーの液晶パネルあるいは有機ＥＬ(電子蛍光)等の表示装置および画面表示を制御する回路であって、例えば決済における決済データ等を画面表示し、当該決済端末１２の利用者へ提供する。また、通信部１２ｇは、公衆回線等のネットワークに接続し、外部の決済センタとの間でデータを送受信するための通信回路である。記憶部１２ｆは、当該決済端末１２の動作を規定する各種のプログラムやデータを記憶する装置であり、業務開始時等において、決済センタ側からダウンロードした広告情報や決済情報等を保存することも可能である。
【００２３】
（実施例の動作の説明）
次に、図１の携帯電話機、図２の決済端末を含んで構成される広告配信システムの動作について、その一例を図３を用いて説明する。図３は、本発明による広告配信システムにおいて広告情報を携帯電話機に配信する際の処理の一例を示す説明図であり、店舗において携帯電話機１１による決済処理がなされた際に、店舗内の決済端末１２にあらかじめ保存されている広告情報を当該携帯電話機１１側へ配信する流れの一例を、シーケンスＳｅｑ１、シーケンスＳｅｑ２、…、シーケンスＳｅｑ７を用いて示している。
【００２４】
図３に示すように、本発明による広告配信システムは、図１の構成からなる利用者（顧客）の携帯電話機１１、図２の構成からなり店舗内に設置された決済端末１２、各店舗に関する決済情報および広告主からの広告情報や割引情報を登録して管理する決済センタ１３、広告情報や割引情報を決済センタ１３へ提供する広告主サイト１４、公衆回線等のネットワーク１５を少なくとも含んで構成される。決済端末１２は、リーダ・ライタ部１２ｂにより携帯電話機１１の通信部１１ｆとの間で情報交換を行い、通信部１２ｇにより、ネットワーク１５を介して決済センタ１３との間で情報交換を行う。また、決済センタ１３と広告主サイト１４との間も、ネットワーク１５を介して、情報交換を行う。
【００２５】
ここで、決済端末１２と決済センタ１３と広告主サイト１４とを互いに接続するネットワーク１５は、公衆回線等（アナログ、ＩＳＤＮ、光回線または専用線であっても良い）から構成されていても良いし、インターネット、ＩＰ網あるいは無線通信網であっても良いし、本広告配信システム専用のネットワークであっても良い。
【００２６】
図３の処理の流れの概要を示すと、次の通りである。広告主が作成した広告情報は、ネットワーク１５を介して、広告主サイト１４から決済センタ１３に送信されると、決済センタ１３は、受け取った広告情報を登録するとともに、随時、ネットワーク１５を介して、各店舗内の決済端末１２側に配信することにより、各店舗内の決済端末１２に広告情報があらかじめ保存される。しかる後、店舗において、携帯電話機１１による決済処理が実施された際に、保存されている広告情報は、決済端末１２から当該携帯電話機１１へ配信される。
【００２７】
次に、図３の処理の流れに沿って、本発明による広告配信システムの動作の一例をさらに詳細に説明する。まず、広告主は、例えば広告主サイト１４を用いて、決済時に配信したい広告情報や割引情報等を作成し、ネットワーク１５（例えば、公衆回線網）を介して、決済センタ１３に送信することにより、配信したい広告関連データとしての登録を依頼する。広告情報や割引情報等を広告主サイト１４から受信した決済センタ１３は、当該広告主サイト１４に関する広告関連データとして登録する（シーケンスＳｅｑ１）。
【００２８】
一方、店舗に設置されている決済端末１２は、店舗の業務開始時等において、ネットワーク１５（例えば、公衆回線網）を介して、決済センタ１３にアクセスし、携帯電話機による決済情報（つまり、端末情報、通信情報、アクセスキー、利用停止情報すなわちネガデータ等）とともに、登録されている広告関連データ（広告情報や割引情報等）をダウンロードする（シーケンスＳｅｑ２）。
【００２９】
あるいは、決済端末１２は、例えば業務開始時に、保存している広告関連データに関して、広告主サイト１４と決済センタ１３との間であらかじめ取り決めた広告期限切れや有効期間切れの有無をチェックして、広告期限切れや有効期間切れを検知した際に、決済センタ１３から新たな広告関連データ（広告情報や割引金額等）をダウンロードして更新処理（更新確認）を行うようにしても良い。
【００３０】
しかる後、当該店舗にて、利用者が携行している携帯電話機１１による決済処理を行う際に、決済端末１２は、ダウンロードしておいた広告関連データのうち広告情報を、携帯電話機１１へ配信する。さらには、決済端末１２は、ダウンロードしておいた広告関連データのうち割引情報を参照して、広告主サイト１４と決済センタ１３との間で、広告情報配信に伴う割引率としてあらかじめ取り決めていた割引金額を適用して決済処理を行う（シーケンスＳｅｑ３）。
【００３１】
広告情報が配信されてきた携帯電話機１１は、受け取った広告情報を画面表示して、当該携帯電話機１１の利用者に提供する。ここで、携帯電話機１１側に配信される広告情報には、該広告情報の作成日時や該広告情報の有効期限等の付加情報を付加するようにしても良い。但し、携帯電話機１１にて、広告情報の受信を許可していない場合、あるいは、決済端末１２に広告情報が登録されていなかった場合には、広告情報を携帯電話機１１側に配信することはないし、また、決済においても、広告情報配信に伴う割引率としてあらかじめ取り決めていた割引金額の割引処理を適用することはない。
【００３２】
以降、店舗を訪れた顧客が携帯電話機による決済を指示する都度、シーケンスＳｅｑ３の手順を繰り返す。しかる後、店舗における本日の業務が終了した時点で、決済端末１２にて、日計処理を実施し、当日の取引情報とともに、広告配信情報（つまり、携帯電話機１１への広告情報の配信件数、割引金額等）を、ネットワーク１５（例えば、公衆回線網）を介して、決済センタ１３へ送信する（シーケンスＳｅｑ４）。
【００３３】
店舗側の決済端末１２から当日の取引情報、広告配信情報を受け取った決済センタ１３は、店舗毎の決済情報として保存するとともに、広告配信実績通知周期としてあらかじめ定めた周期（例えば、月単位、あるいは、週単位、あるいは、日単位）に達する都度、該当期間において広告情報を携帯電話機１１側に配信した実績（配信件数、割引適用金額等)の集計結果を、広告配信実績として、ネットワーク１５（例えば、公衆回線網）を介して、広告主サイト１４へ通知する（シーケンスＳｅｑ５）。
【００３４】
広告配信実績を受信した広告主サイト１４は、該広告配信実績に基づいて、割引適用金額に基本料金を加算した金額を、広告料（＝基本料金＋割引適用金額）として算出して、店舗毎の広告配信実績とともに、広告主に報知する。広告主の承認を受け取ると、広告主サイト１４は、決済センタ１３に対して、算出した広告料を送金する処理を行う（シーケンスＳｅｑ６）。
【００３５】
広告主サイト１４から広告料を受け取った決済センタ１３は、広告料のうち割引適用金額を店舗毎に分割して、それぞれの店舗の決済端末１２に対して、広告情報配信に伴う割引金額補填用として送金処理を行う（シーケンスＳｅｑ７）。
【００３６】
（本実施例の効果の説明）
以上に説明したように、本実施例によれば、携帯電話機１１による決済時に、決済端末１２から当該携帯電話機１１に対して広告情報を配信する構成としているので、従来の広告配信システムの場合とは異なり、広告主側つまり広告主サイト１４側は、広告情報の配信相手となる携帯電話機１１のメールアドレスを取得することが不要となるとともに、それぞれの携帯電話機１１への広告情報の配信処理を省くことができる。
【００３７】
また、各店舗に設置される決済端末１２は、業務開始時等に、従来の決済情報(店舗マスタやアクセスキー、ネガ情報等)と同等な方法によって、決済センタ１３から広告情報をあらかじめダウンロードしておいて、携帯電話機１１による決済時に、当該携帯電話機１１側に広告情報を配信すれば良く、携帯電話機１１の利用者側に広告配信に伴う通信コストが掛かることもないし、また、決済端末１２は、広告配信に関する広告料のやり取りについても、広告主の運営サイトではなく、従来の決済情報のやり取りと同等の方法で決済センタ１３と行うことで十分である。したがって、店舗内に広告配信サーバ等の設置は不要であり、かつ、店舗情報は、従来通り、決済センタ１３のみに登録すれば良い。
【００３８】
つまり、各店舗は、広告主との間で、直接、広告情報の配信や広告料のやり取りを行う必要はないので、広告主の運営サイトと通信するための手段を構築する必要はないし、広告主に対して店舗を特定するための新たな仕組みを用意する必要もなく、従来通り、決済端末１２のみを設置して、携帯電話機１１および決済センタ１３との通信手段を構築するとともに、該決済センタ１３へ店舗情報を登録するだけで、決済情報と同等のやり取りを利用することにより、コストを掛けることなく、直ちに、携帯電話機１１への広告配信動作を実施することができる。
【００３９】
また、携帯電話機１１による決済時においては、広告主が、広告料の一部として、商品代金の割引金額を支払う仕組みを提供することにより、携帯電話機１１の利用者にとっては、通常よりも安く商品を購入することができる一方、店舗側にとっては、集客の促進を図ることができる。さらには、決済センタ側にとっても、広告料の収入が得られるとともに携帯電話機による決済の促進を期待することができる。
【００４０】
（本発明の他の実施例）
携帯電話機１１による決済時に、図３のような仕組みを用いて、前述のような、広告情報の配信のみならず、次のような情報を、携帯電話機１１側に提供するようにしても良い。
（１）例えば、前述のように、広告情報の作成日時や有効期限等の付加情報を、当該広告情報に付加して、携帯電話機１１に配信するようにしても良い。
（２）割引用の情報として割引券や商品引換券を、携帯電話機１１に配信するようにしても良い。
（３）割引用の情報として電子マネーを、携帯電話機１１に配信するようにしても良い。
（４）災害情報を、携帯電話機１１に配信するようにしても良い。
（５）交通機関の運行状況等を、携帯電話機１１に配信するようにしても良い。
（６）携帯電話機のアプリケーション起動情報を、携帯電話機１１に配信するようにしても良い。携帯電話機１１は、該アプリケーション起動情報を受け取ることにより、当該アプリケーションを起動することができる。
（７）音楽やゲームのサンプル版を、携帯電話機１１に配信するようにしても良い。この時、音楽やゲームの通常版を、ダウンロード可能な情報（例えば、ＷｅｂサイトのＵＲＬ情報）を付加するようにしても良い。
【００４１】
さらに、携帯電話機１１による決済時に、図３のような仕組みを用いて、次のような情報を、携帯電話機１１から決済端末１２を経由して決済センタ１３側へ送信するようにしても良い。
（８）携帯電話機１１のあらかじめ定めた特定の情報（例えば、端末情報等）を収集し、決済端末１２を介して決済センタ１３へ送信する。但し、当該携帯電話機１１において、特定の情報として収集を許可された情報のみに限ることとする。
【００４２】
また、前述の実施例においては、決済センタ１３から広告関連データ（広告情報や割引情報等）をダウンロードし、携帯電話機１１側に広告情報を配信する端末が、決済処理を行う専用の決済端末１２として説明したが、決済端末１２のみに限るものではない。決済端末１２以外に、ＰＯＳ（Point of Sales）端末やＰＣ（Personal Computer）、ＰＤＡ（Personal Digital Assistants）等の携帯電話機１１と通信可能な端末を用いて、携帯電話機１１による決済通知を受け取った際に、携帯電話機１１に広告情報を配信するようにしても良い。あるいは、決済処理専用の決済端末１２と広告情報配信用のＰＣ、ＰＤＡ等とを連動させるように構成しても良い。
【００４３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）店舗内の前記決済端末は、業務の開始時に代表されるあらかじめ定めた時点で、当該店舗に関する前記決済情報および前記広告情報の送信要求を、前記決済センタに対して行うことにより、前記決済センタからの前記決済情報および前記広告情報を受け取って保存する上記（１）の広告配信システム。
（３）店舗内の前記決済端末は、保存している前記広告情報の有効期限切れの有無をチェックし、有効期限切れを検知した際に、当該店舗に関する前記広告情報の送信要求を、前記決済センタに対して行うことにより、前記決済センタから最新の前記広告情報を受け取って保存する上記（１）または（２）の広告配信システム。
（４）店舗内の前記決済端末が前記決済センタから前記広告情報を受け取る手順が、前記決済情報をやり取りする手順と同様の手順である上記（１）ないし（３）のいずれかの広告配信システム。
（５）前記広告主サイトが、前記決済センタへ前記広告情報を送信する際に、当該広告情報を前記携帯電話機へ配信した場合に商品購入代金を割引く割引金額を取り決めた割引情報も含めて、広告関連データとして前記決済センタへ送信し、かつ、前記決済センタは、各店舗の前記決済端末に前記広告情報を送信する際に、前記割引情報も含む前記広告関連データとして送信することにより、前記決済端末が前記携帯電話機による決済時に、当該携帯電話機に対して前記広告関連データに含まれている前記広告情報を配信した場合、商品購入代金の決済時に前記広告関連データに含まれている前記割引情報に基づいて、商品購入代金の割引処理を行う上記（１）ないし（４）のいずれかの広告配信システム。
（６）店舗内の前記決済端末は、店舗の業務終了時に、日計処理を実施し、当日の取引情報とともに、前記携帯電話機へ配信した前記広告情報の配信件数および前記割引情報に基づいて商品購入代金を割り引いた割引適用金額を少なくとも含む広告配信情報を、前記決済センタに送信する上記（５）の広告配信システム。
（７）前記決済端末から前記取引情報および前記広告配信情報を受け取った前記決済センタは、当日の店舗毎の決済情報として保存するとともに、前記広告主サイトへの通知周期としてあらかじめ定めた周期に達する都度、該当期間における前記広告情報の配信件数および前記割引適用金額の集計結果を前記広告主サイトへ通知する上記（６）の広告配信システム。
（８）前記広告情報の配信件数および前記割引適用金額の集計結果を前記決済センタから受け取った前記広告主サイトは、受け取った前記割引適用金額を広告用の基本料金に加算した合計金額を、広告料として、前記決済センタに送金処理を行う上記（７）の広告配信システム。
（９）前記広告料を前記広告主サイトから受け取った前記決済センタは、前記広告料に含まれている前記割引適用金額を店舗毎に分割し、それぞれの店舗内の前記決済端末へ、前記広告情報の配信に伴う割引金額の補填用として送金処理を行う上記（８）の広告配信システム。
（１０）前記決済センタは、前記割引情報として前記広告主サイトから割引券や商品引換券あるいは電子マネーを前記広告情報配信に伴う割引用の情報として前記広告情報とともに受け取って、前記決済端末に対して送信することにより、前記決済端末が前記携帯電話機による決済を行う際に、前記広告情報とともに割引券や商品引換券あるいは電子マネーを前記広告情報配信に伴う割引用の情報として当該携帯電話機に配信する上記（５）ないし（９）のいずれかの広告配信システム。
（１１）前記決済センタは、前記広告主サイトから前記広告情報の作成日時、有効期限を付加情報として前記広告情報とともに受け取って、前記決済端末に対して送信することにより、前記決済端末が前記携帯電話機による決済を行う際に、前記広告情報とともに当該広告情報の作成日時、有効期限を付加情報として当該携帯電話機に配信する上記（１）ないし（１０）のいずれかの広告配信システム。
（１２）前記決済センタは、外部の装置から災害情報、交通機関の運行状況、あるいは、音楽やゲームのサンプル版のいずれかに関するサービス情報を受け取って、前記決済端末に対して送信することにより、前記決済端末が前記携帯電話機による決済を行う際に、前記サービス情報を当該携帯電話機に配信する上記（１）ないし（１１）のいずれかの広告配信システム。
（１３）決済機能を備えた携帯電話機と、店舗内に設置した決済端末と、各店舗の決済情報を管理する決済センタと、広告情報を作成する広告主が運用する広告主サイトと、を少なくとも備え、店舗において前記携帯電話機による決済を実施する際に、前記広告主が作成した前記広告情報を当該携帯電話機に配信する広告配信方法であって、前記決済センタは、前記広告主が作成した広告情報を前記広告主センタから受け取って登録するとともに、各店舗の前記決済端末に対して、登録した前記広告情報を送信することによって、前記決済端末に前記広告情報を保存し、当該決済端末が前記携帯電話機による決済を行う際に、保存しておいた前記広告情報を当該携帯電話機に配信する広告配信方法。
（１４）店舗内の前記決済端末は、業務の開始時に代表されるあらかじめ定めた時点で、当該店舗に関する前記決済情報および前記広告情報の送信要求を、前記決済センタに対して行うことにより、前記決済センタからの前記決済情報および前記広告情報を受け取って保存する上記（１３）の広告配信方法。
（１５）店舗内の前記決済端末は、保存している前記広告情報の有効期限切れの有無をチェックし、有効期限切れを検知した際に、当該店舗に関する前記広告情報の送信要求を、前記決済センタに対して行うことにより、前記決済センタから最新の前記広告情報を受け取って保存する上記（１３）または（１４）の広告配信方法。
（１６）店舗内の前記決済端末が前記決済センタから前記広告情報を受け取る手順が、前記決済情報をやり取りする手順と同様の手順である上記（１３）ないし（１５）のいずれかの広告配信方法。
（１７）前記広告主サイトが、前記決済センタへ前記広告情報を送信する際に、当該広告情報を前記携帯電話機へ配信した場合に商品購入代金を割引く割引金額を取り決めた割引情報も含めて、広告関連データとして送信し、かつ、前記決済センタは、各店舗の前記決済端末に前記広告情報を送信する際に、前記割引情報も含む前記広告関連データとして送信することにより、前記決済端末が前記携帯電話機による決済時に、当該携帯電話機に対して前記広告関連データに含まれている前記広告情報を配信した場合、商品購入代金の決済時に前記広告関連データに含まれている前記割引情報に基づいて、商品購入代金の割引処理を行う上記（１３）ないし（１６）のいずれかの広告配信方法。
（１８）店舗内の前記決済端末は、店舗の業務終了時に、日計処理を実施し、当日の取引情報とともに、前記携帯電話機へ配信した前記広告情報の配信件数および前記割引情報に基づいて商品購入代金を割り引いた割引適用金額を少なくとも含む広告配信情報を、前記決済センタに送信する上記（１７）の広告配信方法。
（１９）前記決済端末から前記取引情報および前記広告配信情報を受け取った前記決済センタは、当日の店舗毎の決済情報として保存するとともに、前記広告主サイトへの通知周期としてあらかじめ定めた周期に達する都度、該当期間における前記広告情報の配信件数および前記割引適用金額の集計結果を前記広告主サイトへ通知する上記（１８）の広告配信方法。
（２０）前記広告情報の配信件数および前記割引適用金額の集計結果を前記決済センタから受け取った前記広告主サイトは、受け取った前記割引適用金額を広告用の基本料金に加算した合計金額を、広告料として、前記決済センタに送金処理を行う上記（１９）の広告配信方法。
（２１）前記広告料を前記広告主サイトから受け取った前記決済センタは、前記広告料に含まれている前記割引適用金額を店舗毎に分割し、それぞれの店舗内の前記決済端末へ、前記広告情報の配信に伴う割引金額の補填用として送金処理を行う上記（２０）の広告配信方法。
（２２）前記決済センタは、前記割引情報として前記広告主サイトから割引券や商品引換券あるいは電子マネーを前記広告情報配信に伴う割引用の情報として前記広告情報とともに受け取って、前記決済端末に対して送信することにより、前記決済端末が前記携帯電話機による決済を行う際に、前記広告情報とともに割引券や商品引換券あるいは電子マネーを前記広告情報配信に伴う割引用の情報として当該携帯電話機に配信する上記（１７）ないし（２１）のいずれかの広告配信方法。
（２３）前記決済センタは、前記広告主サイトから前記広告情報の作成日時、有効期限を付加情報として前記広告情報とともに受け取って、前記決済端末に対して送信することにより、前記決済端末が前記携帯電話機による決済を行う際に、前記広告情報とともに当該広告情報の作成日時、有効期限を付加情報として当該携帯電話機に配信する上記（１３）ないし（２２）のいずれかの広告配信方法。
（２４）上記（１３）ないし（２３）のいずれかの広告配信方法を、コンピュータにより実行可能なプログラムとして実施している広告配信プログラム。
（２５）上記（２４）の広告配信プログラムを、コンピュータにより読み取り可能な記録媒体に記録しているプログラム記録媒体。
【図面の簡単な説明】
【００４４】
【図１】本発明による広告配信システムを構成する一構成要素である携帯電話機の回路構成の一例を示すブロック図である。
【図２】本発明による広告配信システムを構成する他の構成要素である決済端末の回路構成の一例を示すブロック図である。
【図３】本発明による広告配信システムにおいて広告情報を携帯電話機に配信する際の処理の一例を示す説明図である。
【符号の説明】
【００４５】
１１      携帯電話機
１１ａ    ＣＰＵ
１１ｂ    決済モジュール
１１ｃ    表示部
１１ｄ    キー入力部
１１ｅ    記憶部
１１ｆ    通信部
１２      決済端末
１２ａ    ＣＰＵ
１２ｂ    リーダ・ライタ部
１２ｃ    表示部
１２ｄ    キー入力部
１２ｅ    プリンタ部
１２ｆ    記憶部
１２ｇ    通信部
１３      決済センタ
１４      広告主サイト
１５      ネットワーク
【図１】
2010146305.tif 000003
【図２】
2010146305.tif 000004
【図３】
2010146305.tif 000005